(57)【要約】【課題】  複写禁止原稿の複写を効果的に防止する。【解決手段】  画像処理装置１０は、原稿を読み取り画像データを取得する読取部１１と、画像データを出力する出力部１５と、を備え、外部の管理装置６０と通信可能な画像処理装置１０であって、読取部１１で読み取られた画像データの少なくとも一部が複写禁止原稿であるかを検知する検知部２１と、複写禁止原稿であると検知された場合、読取部１１および出力部１５の動作を禁止するとともに、解除操作が認証された場合、禁止を解除するロック／解除部２３と、動作が禁止された後、解除操作を受け付ける受付部２５と、解除操作の認証を行う認証部２７と、管理装置６０と通信する通信部５０と、禁止の解除を監視する監視部３０と、禁止が解除されたとき、通信部５０によって解除を管理装置６０に通信部５０を介して通知する通知部３３と、を備える。【選択図】  図１
2005333317.tif 000002
【特許請求の範囲】
【請求項１】
原稿を読み取り画像データを取得する読取部と、
前記画像データを出力する出力部と、を備え、外部の管理装置と通信可能な画像処理装置であって、
前記読取部で読み取られた前記画像データの少なくとも一部が複写禁止原稿であるかを検知する検知部と、
前記複写禁止原稿であると検知された場合、前記読取部および前記出力部の動作を禁止する禁止部と、
前記禁止部で前記動作が禁止された後、解除操作を受け付ける受付部と、
前記解除操作の認証を行う認証部と、
前記解除操作が認証された場合、前記禁止を解除する解除部と、
前記管理装置と通信する通信部と、
前記解除部における前記禁止の解除を監視する監視部と、
前記解除操作が認証されたとき、前記通信部によって前記認証を前記管理装置に前記通信部を介して通知する通知部と、
を備えたことを特徴とする画像処理装置。
【請求項２】
請求項１に記載の画像処理装置において、
前記解除部で前記禁止を解除した解除回数をカウントするカウント部と、
前記解除回数が所定の回数を超えたか否かを判定する判定部と、を備え、
前記通知部は、前記判定部で前記解除回数が前記所定の回数を超えたと判定されたときに、前記管理装置に前記通信部を介して通知することを特徴とする画像処理装置。
【請求項３】
請求項２に記載の画像処理装置において、
前記解除操作を前記管理装置から前記通信部を介して受信する受信部と、
前記判定部で前記解除回数が前記所定の回数を超えたと判定されたとき、前記認証部が前記解除操作を、前記管理装置から前記受信部を介して受信する通信解除モードに設定するとともに、前記認証部が前記受信部で受け付けた前記解除操作を認証したとき、前記受付部から前記解除操作を受け付ける手動解除モードに設定する解除モード設定部と、を備え、
前記認証部は、前記手動解除モード時に使用する手動解除操作と、前記通信解除モード時に使用する通信解除操作と、を予め記憶する記憶部を含み、前記手動解除モード時は、前記受付部で受け付けた前記解除操作が前記手動解除操作と一致するか否かを判定するとともに、前記通信解除モード時は、前記受信部で受信した前記解除操作が前記通信解除操作と一致するか否かを判定し、一致すると判定されたとき、前記解除操作を認証することを特徴とする画像処理装置。
【請求項４】
請求項１乃至３いずれかに記載の画像処理装置において、
前記検知部が前記複写禁止原稿を検知した前記画像データを蓄積する蓄積部と、
前記管理装置からの要求に応じて、前記蓄積部に蓄積された前記画像データを前記管理装置に送信する送信部と、
を備えたことを特徴とする画像処理装置。
【請求項５】
請求項１乃至４いずれかに記載の画像処理装置において、
前記管理装置から前記解除操作の変更を受信する変更受信部と、
前記変更受信部で受信した前記変更に基づいて、前記解除操作を変更する変更部と、
を備えたことを特徴とする画像処理装置。
【請求項６】
請求項１乃至５いずれかに記載の画像処理装置と、
前記画像処理装置と通信可能な前記画像処理装置を管理する管理装置と、を備えた画像処理装置管理システム。
【発明の詳細な説明】
【技術分野】
【０００１】
本発明は、画像処理装置に関し、特に、複写禁止原稿の画像処理を禁止可能な画像処理装置に関する。
【背景技術】
【０００２】
近年、カラー複写機の性能は飛躍的に向上し、オリジナル原稿と見分けがつかないレベルでの複写が可能となってきている。そのため有価証券や紙幣など複写が禁止されている複写禁止原稿の偽造が簡単に行われてしまう可能性があり、社会的にも問題となっている。
【０００３】
特許文献１には、複写装置において読取手段で作成された画像データを送信手段を介して管理装置に送信し、管理装置の判別手段において、送信された画像データが記録禁止対象の画像であるか否かを判別し、該当する場合、禁止手段から複製装置に画像記録禁止信号を送信し、複製装置では、この信号に応答して記録手段の動作を禁止する複写装置管理システムが開示されている。
【特許文献１】特開平７−１３１６３８号公報
【発明の開示】
【発明が解決しようとする課題】
【０００４】
上述文献の従来の複写装置のように、複写装置から管理装置に作成された画像データを送信して記録禁止対象の画像であるか否かを判別する構成とすると、複写装置と管理装置間の通信処理が混雑した場合に、複写装置の記録手段の動作を禁止するのに時間がかかってしまうといった問題点が生じる可能性があった。
【０００５】
また、記録禁止対象の画像の検出の精度は、必ずしも１００％ではなく、誤検出される可能性も高く、そのたびに記録手段の動作が禁止されてしまうと、禁止を解除するための作業や処理が頻繁に発生してしまい、複写装置の稼働率やメンテナンス効率が低下するといった問題点が考えられる。
【０００６】
本発明は、上記背景の下でなされたものであり、その目的は、複写禁止原稿の複写を効果的に防止することができる画像処理装置を提供することにある。
【課題を解決するための手段】
【０００７】
本発明の画像処理装置は、原稿を読み取り画像データを取得する読取部と、前記画像データを出力する出力部と、を備え、外部の管理装置と通信可能な画像処理装置であって、前記読取部で読み取られた前記画像データの少なくとも一部が複写禁止原稿であるかを検知する検知部と、前記複写禁止原稿であると検知された場合、前記読取部および前記出力部の動作を禁止する禁止部と、前記禁止部で前記動作が禁止された後、解除操作を受け付ける受付部と、前記解除操作の認証を行う認証部と、前記解除操作が認証された場合、前記禁止を解除する解除部と、前記管理装置と通信する通信部と、前記解除部における前記禁止の解除を監視する監視部と、前記解除操作が認証されたとき、前記通信部によって前記認証を前記管理装置に前記通信部を介して通知する通知部と、を備える。
【０００８】
ここで、出力部の動作は、たとえば、フルカラー印刷や精細印刷など複写禁止原稿の偽造につながるような一部の動作のみを禁止することもできる。また、解除操作とは、たとえば、画像処理装置の管理者のみが知っているパスワードの入力や所定のキー操作である。
【０００９】
本発明によれば、認証部で解除操作が認証され、解除部で禁止が解除されたことを管理装置に通信網を介して通知することができるので、管理装置側で、画像処理装置の解除操作を監視し、管理することができる画像処理装置が提供される。
【００１０】
上記画像処理装置において、前記解除部で前記禁止を解除した解除回数をカウントするカウント部と、前記解除回数が所定の回数を超えたか否かを判定する判定部と、を備えることができ、前記通知部は、前記判定部で前記解除回数が前記所定の回数を超えたと判定されたときに、前記管理装置に前記通信部を介して通知することができる。
【００１１】
この構成によれば、監視部は解除が所定回数を超えて行われた場合に管理装置に通知するので、複写禁止原稿の複写の検出精度が低いような場合に、不要な通知が管理装置に頻繁に行われないようにすることができる。また、画像処理装置の管理者自身が偽造を行うために解除操作を繰り返す可能性もあるため、所定回数を超えて解除操作が繰り返された場合は管理装置に通知でき、偽造の発見および防止が可能となる。
【００１２】
上記画像処理装置において、前記解除操作を前記管理装置から前記通信部を介して受信する受信部と、前記判定部で前記解除回数が前記所定の回数を超えたと判定されたとき、前記認証部が前記解除操作を、前記管理装置から前記受信部を介して受信する通信解除モードに設定するとともに、前記認証部が前記受信部で受け付けた前記解除操作を認証したとき、前記受付部から前記解除操作を受け付ける手動解除モードに設定する解除モード設定部と、を備えることができ、前記認証部は、前記手動解除モード時に使用する手動解除操作と、前記通信解除モード時に使用する通信解除操作と、を予め記憶する記憶部を含み、前記手動解除モード時は、前記受付部で受け付けた前記解除操作が前記手動解除操作と一致するか否かを判定するとともに、前記通信解除モード時は、前記受信部で受信した前記解除操作が前記通信解除操作と一致するか否かを判定し、一致すると判定されたとき、前記解除操作を認証することができる。
【００１３】
ここで、手動解除操作は、画像処理装置の管理者のみが知っているパスワードの入力や所定のキー操作であり、記憶部に登録される。また、通信解除操作は、管理装置の管理者のみが知っているパスワードの入力や所定のキー操作であり、記憶部に登録される。
【００１４】
この構成によれば、手動解除操作と通信解除操作とを記憶部に個別に登録できるので、セキュリティが強化され、システムの信頼性が向上する。
【００１５】
上記画像処理装置において、前記検知部が前記複写禁止原稿を検知した前記画像データを蓄積する蓄積部と、前記管理装置からの要求に応じて、前記蓄積部に蓄積された前記画像データを前記管理装置に送信する送信部と、を備えることができる。
【００１６】
この構成によれば、複写禁止原稿を検知したときの画像データを管理装置に送信できるので、画像処理装置側で不正な解除操作が繰り返された場合などに、管理装置側で画像データを監視して、不正を発見することが可能となる。
【００１７】
上記画像処理装置において、前記管理装置から前記解除操作の変更を受信する変更受信部と、前記変更受信部で受信した前記変更に基づいて、前記解除操作を変更する変更部と、を備えることができる。
【００１８】
この構成によれば、解除操作の変更を管理装置から遠隔操作で行うことが可能となる。たとえば、解除操作が所定回数を超えた場合など必要に応じて、解除操作を変更することにより、同じ解除操作がそれ以上繰り返し行われることを阻止することが可能となる。
【００１９】
本発明の画像処理装置管理システムは、上記画像処理装置と、前記画像処理装置と通信可能な前記画像処理装置を管理する管理装置と、を備える。
【００２０】
本発明によれば、画像処理装置における複写禁止原稿の複写などの画像処理を管理装置により効果的に監視および防止することができる。
【００２１】
なお、以上の構成要素の任意の組合せ、本発明の表現を方法、装置、システム、記録媒体、コンピュータプログラムなどの間で変換したものもまた、本発明の態様として有効である。
【発明の効果】
【００２２】
上述のように、本発明によれば、複写禁止原稿の複写を効果的に防止することができる画像処理装置が提供される。
【発明を実施するための最良の形態】
【００２３】
以下、本発明の実施の形態を図面を参照して説明する。
【００２４】
図１は、本実施の形態の画像処理装置を含む画像処理装置の機能ブロック図である。画像処理装置１０は、たとえば、フルカラー複写装置などである。なお、図１において、本発明の本質に関わらない部分の構成については省略してある。
【００２５】
また、画像処理装置１０の各構成要素は、任意のコンピュータのＣＰＵ、メモリ、メモリにロードされた本図の構成要素を実現するプログラム、そのプログラムを格納するハードディスクなどの記憶ユニット、ネットワーク接続用インタフェースを中心にハードウエアとソフトウエアの任意の組合せによって実現される。そして、その実現方法、装置にはいろいろな変形例があることは、当業者には理解されるところである。以下説明する各図は、ハードウエア単位の構成ではなく、機能単位のブロックを示している。
【００２６】
画像処理装置１０は、読取部１１と、画像データ記憶部１３と、出力部１５と、禁止原稿複写防止部２０と、監視部３０と、通信部５０と、を含む。
【００２７】
読取部１１は、原稿をカラーまたはモノクロで読み取り画像データを取得する。画像データ記憶部１３は、読取部１１で取得した画像データを記憶する。出力部１５は、画像データ記憶部１３に記憶された画像データをカラーまたはモノクロで出力する。出力部１５の出力動作は、プリンタへの印刷、メディアへの記録などを含む。
【００２８】
禁止原稿複写防止部２０は、禁止原稿複写を防止する機能を有し、読取部１１で読み取られた画像データから複写禁止原稿が検知されたとき、動作を禁止するとともに、所定の解除操作を認証することで禁止の解除を行う。監視部３０は、禁止原稿複写防止部２０における解除操作を監視する。通信部５０は、外部の管理装置６０と通信網を介して通信する。ここで、通信網とは、たとえば、インターネットなどのネットワークなどである。通信部５０は、監視部３０からの監視結果の通知を管理装置６０に送信する。また、通信部５０は、管理装置６０から解除操作を受信し、禁止原稿複写防止部２０に通知する。
【００２９】
さらに、禁止原稿複写防止部２０は、検知部２１と、ロック／解除部２３と、受付部２５と、認証部２７と、解除操作記憶部２９と、を含む。
【００３０】
検知部２１は、読取部１１で読み取られた画像データが、カラーで読み取られた画像データであるかを検知するとともに、カラーで読み取られた画像データの少なくとも一部が複写禁止原稿であるかを検知する。検知部２１における複写禁止原稿の検知は、公知の技術を用いる。ロック／解除部２３は、検知部２１で画像データが複写禁止原稿であると検知された場合、出力部１５の一部の動作を禁止する。また、ロック／解除部２３は、後述する解除操作の認証後に、動作の禁止を解除する。
【００３１】
受付部２５は、ロック／解除部２３で動作が禁止された後、解除操作を受け付ける。解除操作は、たとえば、管理者のみが知っているパスワードの入力や、所定のキー操作などである。
【００３２】
認証部２７は、受付部２５で受け付けた解除操作の認証を行う。解除操作記憶部２９は、画像処理装置１０の管理者によって登録された手動解除操作２９ａと、管理装置６０の管理者によって登録された通信解除操作２９ｂと、を記憶する。手動解除操作２９ａは、画像処理装置１０の管理者のみが知っているパスワードの入力や所定のキー操作であり、通信解除操作２９ｂは、管理装置６０の管理者のみが知っているパスワードの入力や所定のキー操作である。
【００３３】
この構成によれば、手動解除操作と通信解除操作とを解除操作記憶部２９に個別に登録できるので、セキュリティが強化され、システムの信頼性が向上する。
【００３４】
認証部２７は、解除操作の認証を行う際に解除操作記憶部２９を参照する。ここで、画像処理装置１０における解除モードは、解除操作を手動で行う手動解除モードと、解除操作を管理装置６０からリモートで行う通信解除モードと、がある。
【００３５】
認証部２７は、手動解除モード時は、受付部２５で受け付けた解除操作が解除操作記憶部２９の手動解除操作２９ａと一致するか否かを判定するとともに、通信解除モード時は、後述する監視部３０の解除操作受信部３５で管理装置６０から受信した解除操作が解除操作記憶部２９の通信解除操作２９ｂと一致するか否かを判定する。認証部２７は、各解除操作と解除操作記憶部２９の解除操作とが一致すると判定した場合、その解除操作を認証し、ロック／解除部２３に禁止の解除を通知する。
【００３６】
また、ロック／解除部２３は、検知部２１から複写禁止原稿の画像データの検知が通知されると、動作モードをロックモードに移行させる。ここで、ロックモードとは、出力部１５の動作を禁止するモードである。出力部１５の動作は、たとえば、フルカラー印刷や精細印刷など複写禁止原稿の偽造につながるような一部の動作のみを禁止することもできる。また、ロック／解除部２３は、認証部２７が解除操作を認証した場合、動作モードをロックモードから通常モードに移行させる。また、通常モードとは、出力部１５の動作を制限しないモードである。
【００３７】
さらに、監視部３０は、判定部３１と、通知部３３と、解除操作受信部３５と、を含む。
【００３８】
判定部３１は、禁止原稿複写防止部２０の認証部２７で解除操作が認証されたか否かを判定する。通知部３３は、認証部２７で解除操作の認証がなされたとき、判定部３１が判定した結果を管理装置６０に通信部５０を介して通知する。解除操作受信部３５は、管理装置６０から通信部５０を介して解除操作の指示を受信する。受信した解除操作を認証部２７に通知する。
【００３９】
以上のように構成された画像処理装置１０によれば、認証部２７で解除操作が認証され、ロック／解除部２３で禁止が解除されたことを通信部５０が管理装置６０に通信網を介して通知することができるので、管理装置６０側で、画像処理装置１０の解除操作を監視、管理することができる。
【００４０】
図２は、本実施の形態の画像処理装置１０の要部構成である監視部３０の詳細機能ブロック図である。監視部３０は、図１の通知部３３と、解除操作受信部３５と、に加え、カウント部３７と、解除回数判定部３９と、解除モード保持部４１と、解除モード設定部４３と、禁止原稿画像データ蓄積部４５（図中、「蓄積部」と示す。）と、を含む。
【００４１】
カウント部３７は、認証部２７で解除操作が認証された解除回数をカウントする。解除回数判定部３９は、カウント部３７でカウントされた解除回数が所定の回数を超えたか否かを判定する。通知部３３は、解除回数判定部３９で解除回数が所定の回数を超えたと判定されたとき、そのことを管理装置６０に通信部５０を介して通知する。
【００４２】
解除モード保持部４１は、画像処理装置１０における解除操作を行う解除モードが、現在、手動解除モードおよび通信解除モードのいずれであるかを保持する。
【００４３】
解除モード設定部４３は、解除回数判定部３９で解除回数が所定の回数を超えたと判定されたとき、認証部２７が解除操作を管理装置６０から解除操作受信部３５を介して受信する通信解除モードに設定する。さらに、解除モード設定部４３は、認証部２７が解除操作受信部３５で受信した解除操作を認証したとき、認証部２７が解除操作を受付部２５から受け付ける手動解除モードに設定する。
【００４４】
禁止原稿画像データ蓄積部４５（図中、「蓄積部」と示す。）は、禁止原稿複写防止部２０の検知部２１で複写禁止原稿であると検知された画像データを蓄積する。また、禁止原稿画像データ蓄積部４５は、画像データを検知した日時なども一緒に記録してもよい。
【００４５】
このように構成された画像処理装置１０の動作について以下に説明する。図３は、画像処理装置１０の動作を示すフローチャートである。以下、図１乃至図３を参照して説明する。
【００４６】
まず、読取部１１が原稿を読み取り、画像データを取得する（Ｓ１１）。画像データは画像データ記憶部１３に記憶される。つづいて、認証部２７は、解除モード保持部４１を参照し、現在の解除モードが通信解除モードであるか否かを判定する（Ｓ１３）。通信解除モードであると判定された場合（Ｓ１３のＹＥＳ）、認証部２７は、通信解除処理を行う（Ｓ１５）。通信解除処理については、後述する。
【００４７】
一方、手動解除モードであると判定された場合（Ｓ１３のＮＯ）、検知部２１が画像データ記憶部１３に記憶された画像データがカラーかどうかを検知する（Ｓ１７）。画像データがカラーの場合（Ｓ１７のＹＥＳ）、認証部２７は、動作モードがロックモードか否かを判定する（Ｓ１９）。ロックモードの場合（Ｓ１９のＹＥＳ）、認証部２７は後述する認証処理を行う（Ｓ２１）。
【００４８】
一方、画像データがカラーでない場合（Ｓ１７のＮＯ）、出力部１５は制限なく動作することとなる（Ｓ２５）。また、ロックモードでない場合（Ｓ１９のＮＯ）、検知部２１は、画像データの少なくとも一部が複写禁止原稿の画像データであるかどうかを検知する（Ｓ２３）。複写禁止原稿でない場合（Ｓ２３のＮＯ）、ステップＳ２５に進み、出力部１５は制限なく動作することとなる。
【００４９】
一方、複写禁止原稿の場合（Ｓ２３のＹＥＳ）、ロック／解除部２３に通知され、ロック／解除部２３は、動作モードをロックモードに移行させる（Ｓ２７）。つづいて、複写禁止原稿と検知された画像データが禁止原稿画像データ蓄積部４５に蓄積される（Ｓ２９）。
【００５０】
図４は、図３の認証処理の詳細を示すフローチャートである。この認証処理は、手動解除モード時の認証部２７における認証処理を示す。以下、図１、図２、および図４を用いて説明する。
【００５１】
まず、認証処理がはじまると、受付部２５は、所定のキー操作やパスワードの入力などの解除操作を受け付ける（Ｓ３１）。つづいて、認証部２７は、解除操作記憶部２９を参照し、受付部２５で受け付けた解除操作が手動解除操作２９ａと一致するか否かを判定する（Ｓ３３）。認証部２７が、受付部２５で受け付けた解除操作が手動解除操作２９ａと一致すると判定し、解除操作を認証した場合（Ｓ３３のＹＥＳ）、カウント部３７が解除回数をカウントする（Ｓ３５）。
【００５２】
つづいて、解除回数判定部３９は、カウント部３７でカウントされた解除回数が所定回数を超えたか否かを判定する（Ｓ３７）。所定回数を超えていない場合（Ｓ３７のＮＯ）、ロック／解除部２３は、ロックモードを解除し（Ｓ４１）、本認証処理を終了し、図３の処理に戻る。
【００５３】
一方、所定回数を超えた場合（Ｓ３７のＹＥＳ）、通知部３３は、解除回数が所定回数を超えたことを管理装置６０に通信部５０を介して通知する（Ｓ３９）。つづいて、解除回数判定部３９は、解除モード設定部４３に解除モードを通信解除モードに移行させる（Ｓ４３）。つづいて、手動解除不可を示すメッセージを図示されない表示部に表示し（Ｓ４５）、本認証処理を終了し、図３の処理に戻る。
【００５４】
このように構成された画像処理装置１０によれば、監視部３０は解除回数が所定回数を超えて行われた場合に管理装置６０に通知するので、複写禁止原稿の複写の検出精度が低いような場合に、不要な通知が管理装置６０に頻繁に行われないようにすることができる。また、画像処理装置１０の管理者自身が偽造を行うために解除操作を繰り返す可能性もあるため、所定回数を超えて解除操作が繰り返された場合は管理装置６０に通知でき、偽造の発見および防止が可能となる。
【００５５】
図５は、図３の通信解除処理の詳細を示すフローチャートである。この処理は、通信解除モード時の認証部２７における認証処理である。以下、図１、図２、および図５を参照して説明する。
【００５６】
まず、通信解除処理が開始すると、解除操作受信部３５は、管理装置６０から通信部５０を介して解除操作を受信し、認証部２７に通知する（Ｓ５１）。つづいて、認証部２７は、管理装置６０から受信した解除操作が認証されるか否かを判定する（Ｓ５３）。すなわち、認証部２７は、管理装置６０から受信した解除操作が解除操作記憶部２９に記憶されている通信解除操作２９ｂと一致するか否かを判定し、一致した場合（Ｓ５３のＹＥＳ）、解除操作を認証し、解除モード設定部４３に通信解除モードを解除させ、手動解除モードに移行させる（Ｓ５５）。このとき、カウント部３７でカウントされていた解除回数をリセットする。つづいて、認証部２７は、通信部５０を介して管理装置６０に通信解除モードを解除したことを通知する（Ｓ５９）。
【００５７】
一方、認証部２７が、管理装置６０から受信した解除操作が解除操作記憶部２９に記憶されている通信解除操作２９ｂと一致しないと判定した場合（Ｓ５３のＮＯ）、解除操作は認証されず、解除不可を示すメッセージを表示部に表示する（Ｓ５７）。つづいて、認証部２７は、通信部５０を介して管理装置６０に通信解除操作が認証されなかったことを通知する（Ｓ５９）。
【００５８】
ステップＳ５９の後、本通信解除処理を終了し、図３の処理に戻る。
【００５９】
以上のようにして、通信解除モード時に、管理装置６０から画像処理装置１０の解除操作を行うことができる。
【００６０】
図６は、本実施の形態の画像処理装置１０および管理装置６０の詳細機能ブロック図である。ここで、管理装置６０は、画像処理装置１０から解除操作が所定回数を超えて行われたことの通知を受信し、画像データを画像処理装置１０に要求し、取得した画像データを詳細に解析し、その結果に応じて画像処理装置１０の制御を行う構成とする。
【００６１】
管理装置６０は、通信部６１と、通知受信部６３と、要求部６５と、画像受信部６７と、解析部６９と、解除指示部７１と、変更指示部７３と、を含む。
【００６２】
通信部６１は、画像処理装置１０の通信部５０と通信網を介して通信する。通知受信部６３は、画像処理装置１０から解除回数が所定回数を超えたことを通知するメッセージを受信する。要求部６５は、通知受信部６３でメッセージを受信したとき、画像処理装置１０に対して、画像処理装置１０の禁止原稿画像データ蓄積部４５に蓄積されている画像データの送信を要求する。
【００６３】
画像受信部６７は、画像処理装置１０から禁止原稿画像データ蓄積部４５に蓄積されていた画像データを受信する。解析部６９は、受信した画像データを解析する。解除指示部７１は、解析部６９での解析結果により、たとえば、画像処理装置１０での複写禁止原稿の誤検出が確認されると、画像処理装置１０に解除操作を指示する。変更指示部７３は、解析部６９での解析結果により、たとえば、複写禁止原稿の画像データが確認された場合、解除操作を変更する指示を画像処理装置１０に送信する。
【００６４】
監視部３０は、図２の構成に加えて、要求受付部５１と、画像送信部５３と、変更指示受信部５５と、解除操作変更部５７と、変更完了通知部５９と、を含む。なお、図５において、図２の監視部３０の構成は省略してある。
【００６５】
要求受付部５１は、管理装置６０から送信された画像データの送信要求を通信部５０を介して受信する。画像送信部５３は、要求受付部５１で受信した送信要求に呼応して、禁止原稿画像データ蓄積部４５に格納されている画像データを管理装置６０に通信部５０を介して送信する。
【００６６】
変更指示受信部５５は、管理装置６０から送信された解除操作の変更指示を通信部５０を介して受信する。変更指示受信部５５は、変更指示に呼応して、解除操作記憶部２９に登録されている解除操作を変更する。このとき、解除操作記憶部２９に記憶されている少なくとも手動解除操作２９ａを変更する。変更完了通知部５９は、解除操作変更部５７で解除操作の変更が終了したとき、管理装置６０に変更完了を通知するメッセージを通信部５０を介して送信する。
【００６７】
このように構成された画像処理装置１０の動作について以下に説明する。図７は、図６の管理装置６０の動作を示すフローチャートである。また、図８は、図６の画像処理装置１０の解除操作変更時の動作を示すフローチャートである。以下、図１、図６乃至図８を用いて説明する。
【００６８】
はじめに、管理装置６０で画像処理装置１０から解除操作が所定の回数を超えて行われたことを示すメッセージを受信したときの動作について説明する。まず、図７において、通知受信部６３が通信部６１を介して画像処理装置１０の通知部３３から解除操作が所定回数を超えて行われたことを示すメッセージを受信する（Ｓ６１）。メッセージ受信に呼応して、要求部６５は、画像処理装置１０に画像データの送信を要求する（Ｓ６３）。ここで、画像処理装置１０では、要求受付部５１が、この画像データの送信要求を通信部５０を介して受信し、送信要求に呼応して、画像送信部５３が、禁止原稿画像データ蓄積部４５に蓄積されている画像データを管理装置６０に通信部５０を介して送信する（不図示）。
【００６９】
管理装置６０の画像受信部６７は、画像処理装置１０から送信された画像データを通信部６１を介して受信する（Ｓ６５）。つづいて、解析部６９は、受信した画像データを詳細に解析する（Ｓ６７）。解析部６９が複写禁止原稿を検知したとき（Ｓ６９のＹＥＳ）、変更指示部７３は、通信解除操作を変更する指示を画像処理装置１０に通信部６１を介して送信し（Ｓ７１）、本処理を終了する。一方、解析部６９が複写禁止原稿を検知しなかったとき（Ｓ６９のＮＯ）、そのまま本処理を終了する。
【００７０】
次に、画像処理装置１０が解除操作の変更指示を受信したときの動作について説明する。まず、図８において、画像処理装置１０の変更指示受信部５５は、管理装置６０から通信解除操作を変更する指示を通信部５０を介して受信する（Ｓ８１）。つづいて、解除操作変更部５７は、解除操作記憶部２９の通信解除操作２９ｂを受信した通信解除操作に変更する（Ｓ８３）。つづいて、変更完了通知部５９は、解除操作変更部５７による通信解除操作の変更が完了したことを通信部５０を介して管理装置６０に通知する（Ｓ８５）。
【００７１】
このように構成された画像処理装置１０によれば、複写禁止原稿を検知したときの画像データを管理装置６０に送信できるので、画像処理装置１０側で不正な解除操作が繰り返された場合に、管理装置６０側で画像データを監視して、不正を発見することが可能となる。
【００７２】
また、この構成によれば、解除操作の変更を管理装置６０から遠隔操作で行うことが可能となる。たとえば、解除操作が所定回数を超えた場合など必要に応じて、解除操作を変更することにより、同じ解除操作がそれ以上繰り返し行われることを阻止することが可能となる。
【００７３】
以上説明したように、本実施の形態によれば、認証部２７で解除操作が認証され、解除部で禁止が解除されたことを管理装置６０に通信網を介して通知することができるので、管理装置６０側で、画像処理装置１０の解除操作を監視し、管理することができる。
【００７４】
以上に本発明の好適な実施の形態を説明した。しかし、本発明は上述の実施の形態に限定されず、当業者が本発明の範囲内で上述の実施の形態を変形可能なことはもちろんである。
【００７５】
上記実施の形態では、画像処理装置１０としてネットワークファクシミリ装置、およびＭＦＰについて説明したが、これに限定されるものではない。たとえば、画像処理装置１０は、本発明の画像処理装置を備えたパーソナルコンピュータ、ワークステーションを含む。
【００７６】
上記実施の形態では、複写禁止原稿の画像データが検知され場合、ロックモードに移行させ、カラー印刷、精細印刷などを禁止する構成としたが、この他に、モノクロ印刷や低解像度印刷に自動的に切り替えて印刷させる構成としてもよい。
【００７７】
また、上記実施の形態において、禁止原稿画像データ蓄積部４５は、検知部２１で検知された複写禁止原稿の画像データをすべて記憶しているが、これに限定されない。たとえば、禁止原稿画像データ蓄積部４５に蓄積される画像データは、検知部２１で複写禁止原稿であると検知された画像データの少なくとも一部でもよい。また、禁止原稿画像データ蓄積部４５には、複写禁止画像部分のみを抽出して記憶してもよい。
【００７８】
あるいは、監視部３０は、検知部２１で検知された複写禁止原稿の画像データを色分解する色分解部（不図示）をさらに含んでもよく、禁止原稿画像データ蓄積部４５は、色分解部で色分解された少なくとも１色の画像データを蓄積することもできる。
【００７９】
このようにすれば、禁止原稿画像データ蓄積部４５の記憶容量を効果的に削減することができる。
【産業上の利用可能性】
【００８０】
本発明にかかる画像処理装置は、複写禁止原稿の複写を効果的に防止することができるという効果を有し、複写禁止原稿の画像処理を禁止可能な画像処理装置等として有用である。
【図面の簡単な説明】
【００８１】
【図１】本実施の形態の画像処理装置の機能ブロック図である。
【図２】図１の画像処理装置の監視部の詳細機能ブロック図である。
【図３】図１の画像処理装置の動作を示すフローチャートである。
【図４】図３の認証処理の詳細を示すフローチャートである。
【図５】図３の通信解除処理の詳細を示すフローチャートである。
【図６】本実施の形態の画像処理装置および管理装置の詳細機能ブロック図である。
【図７】図６の管理装置の動作を示すフローチャートである。
【図８】図６の画像処理装置の解除操作変更時の動作を示すフローチャートである。
【符号の説明】
【００８２】
１０  画像処理装置
１１  読取部
１３  画像データ記憶部
１５  出力部
２０  禁止原稿複写防止部
２１  検知部
２３  ロック／解除部
２５  受付部
２７  認証部
２９  解除操作記憶部
２９ａ  手動解除操作
２９ｂ  通信解除操作
３０  監視部
３１  判定部
３３  通知部
３５  解除操作受信部
３５  解除操作受信部
３７  カウント部
３９  解除回数判定部
４１  解除モード保持部
４３  解除モード設定部
４５  禁止原稿画像データ蓄積部
５０  通信部
５１  要求受付部
５３  画像送信部
５５  変更指示受信部
５７  解除操作変更部
５９  変更完了通知部
６０  管理装置
６１  通信部
６３  通知受信部
６５  要求部
６７  画像受信部
６９  解析部
７１  解除指示部
７３  変更指示部
【図１】
2005333317.tif 000003
【図２】
2005333317.tif 000004
【図３】
2005333317.tif 000005
【図４】
2005333317.tif 000006
【図５】
2005333317.tif 000007
【図６】
2005333317.tif 000008
【図７】
2005333317.tif 000009
【図８】
2005333317.tif 000010